(57)【要約】【課題】眩しさ（グレア）を低減することができる照明器具を提供する。【解決手段】照明器具１は、発光部４０と、第１反射部材１０と、光を反射する第２反射部材２０と、光を反射する第３反射部材３０とを備える。第２反射部材２０は、発光部４０に対向する。第３反射部材３０は、第２反射部材２０を囲む。第１反射部材１０は、発光部４０と第２反射部材２０との間に位置する。第２反射部材２０の幅Ｗ２０は、第１反射部材１０の幅Ｗ１０よりも大きく、発光部４０の幅Ｗ４０よりも大きい。【選択図】図１
2018129243.tif 000002
【特許請求の範囲】
【請求項１】
光を出射する発光部と、
光を反射する第１反射部材と、
光を反射する第２反射部材と、
光を反射する第３反射部材と
を備え、
前記第２反射部材は、前記発光部に対向し、
前記第３反射部材は、前記第２反射部材を囲み、
前記第２反射部材の幅は、前記第１反射部材の幅よりも大きく、前記発光部の幅よりも大きい、照明器具。
【請求項２】
前記第１反射部材は、前記発光部と前記第２反射部材との間に位置する、請求項１に記載の照明器具。
【請求項３】
前記第２反射部材は、前記発光部と対向する反射面を有し、
前記反射面は、前記反射面に入射した光を反射する、請求項１又は請求項２に記載の照明器具。
【請求項４】
前記第３反射部材は、前記発光部の光軸上に位置する第３開口及び第４開口を有し、
前記第３開口は、前記第４開口よりも前記発光部に近く、
前記第２反射部材は、前記第４開口よりも前記発光部に近い、請求項１から請求項３のいずれか１項に記載の照明器具。
【請求項５】
前記第３反射部材の内面は、光の配光を制御する、請求項１から請求項４のいずれか１項に記載の照明器具。
【発明の詳細な説明】
【技術分野】
【０００１】
本発明は、照明器具に関する。
【背景技術】
【０００２】
特許文献１に記載された照明器具は、発光部と、リフレクタと、反射板とを備える。リフレクタは、第１回転放物面と、第２回転放物面とを備える。第１回転放物面は、発光部の後方に配置されている。第２回転放物面は、第１回転放物面の周縁部の前方からリフレクタの開口部に至り設けられている。反射板は、発光部の前方に配置されている。反射板は、発光部からの光を遮っている。反射板で反射された光は、第１回転放物面に入射する。
【先行技術文献】
【特許文献】
【０００３】
【特許文献１】特開２０１２−２８２３６号公報
【発明の概要】
【発明が解決しようとする課題】
【０００４】
しかしながら、特許文献１に記載された照明器具では、第１回転放物面に入射した光の一部は、第２回転放物面と反射板との間を通って出射する。第２回転放物面と反射板との間を通って出射する光は、使用者にとって眩しい。
【０００５】
本発明は上記課題に鑑みてなされたものであり、その目的は、眩しさ（グレア）を低減することができる照明器具を提供することにある。
【課題を解決するための手段】
【０００６】
本願に開示する照明器具は、光を出射する発光部と、光を反射する第１反射部材と、光を反射する第２反射部材と、光を反射する第３反射部材とを備える。前記第２反射部材は、前記発光部に対向する。前記第３反射部材は、前記第２反射部材を囲む。前記第２反射部材の幅は、前記第１反射部材の幅よりも大きく、前記発光部の幅よりも大きい。
【０００７】
本願に開示する照明器具において、前記第１反射部材は、前記発光部と前記第２反射部材との間に位置することが好ましい。
【０００８】
本願に開示する照明器具において、前記第２反射部材は、前記発光部と対向する反射面を有することが好ましい。前記反射面は、前記反射面に入射した光を反射することが好ましい。
【０００９】
本願に開示する照明器具において、前記第３反射部材は、前記発光部の光軸上に位置する第３開口及び第４開口を有することが好ましい。前記第３開口は、前記第４開口よりも前記発光部に近いことが好ましい。前記第２反射部材は、前記第４開口よりも前記発光部に近いことが好ましい。
【００１０】
本願に開示する照明器具において、前記第３反射部材の内面は、光の配光を制御することが好ましい。
【発明の効果】
【００１１】
本発明によれば、眩しさ（グレア）を低減することができる。
【図面の簡単な説明】
【００１２】
【図１】本発明の実施形態に係る照明器具を示す模式的側面図である。
【図２】実施形態に係る照明器具を示す模式的断面図である。
【図３】実施形態に係る照明器具を示す分解斜視図である。
【図４】実施形態に係る照明器具を示す斜視図である。
【図５】（ａ）実施形態の第１変形例に係る照明器具の第１反射部材を示す模式的断面図である。（ｂ）実施形態の第２変形例に係る照明器具の第２反射部材を示す模式的断面図である。
【発明を実施するための形態】
【００１３】
以下、本発明の実施形態について、図面を参照しながら説明する。なお、図中、同一または相当部分については同一の参照符号を付して説明を繰り返さない。
【００１４】
図１は、本発明の実施形態に係る照明器具１を示す模式的側面図である。図１に示すように、照明器具１は、例えば、天井Ｃに取り付けられるダウンライトである。照明器具１は、第１反射部材１０と、第２反射部材２０と、第３反射部材３０と、光源４２とを備える。光源４２は発光する。具体的には、光源４２は、基板４１と、発光部４０とを含む。発光部４０は、基板４１に形成され、光を出射する。発光部４０は、本実施形態では、ＬＥＤ（Ｌｉｇｈｔ  Ｅｍｉｔｔｉｎｇ  Ｄｉｏｄｅ）である。
【００１５】
第１反射部材１０は、光を反射する。第１反射部材１０は、光軸ＬＡ上において、発光部４０と第２反射部材２０との間に位置する。光軸ＬＡとは、発光部４０の光軸のことである。光軸ＬＡは、発光部４０に直交し、発光部４０の中心を通る。
【００１６】
第２反射部材２０は、光を反射する。第２反射部材２０は、発光部４０に対向する。
【００１７】
第２反射部材２０の幅Ｗ２０は、第１反射部材１０の幅Ｗ１０よりも大きく、発光部４０の幅Ｗ４０よりも大きい。第２反射部材２０の幅Ｗ２０は、好ましくは、発光部４０の幅Ｗ４０を１．５倍した幅よりも大きく、より好ましくは、発光部４０の幅Ｗ４０を２倍した幅よりも大きい。本明細書において、特に明示しない限り、幅は、光軸ＬＡに直交する方向ＴＤに沿った幅を示す。
【００１８】
第３反射部材３０は、光を反射する。第３反射部材３０は、第２反射部材２０を囲んでいる。なお、第３反射部材３０は、第２反射部材２０の全てを囲んでいてもよいし、第２反射部材２０の一部を囲んでいてもよい。
【００１９】
以上、図１を参照して説明したように、本実施形態によれば、第２反射部材２０の幅Ｗ２０は、第１反射部材１０の幅Ｗ１０よりも大きく、発光部４０の幅Ｗ４０よりも大きい。従って、発光部４０が出射した光は、第２反射部材２０に直接入射し、及び／又は、第１反射部材１０に反射されて、第２反射部材２０に入射する。その結果、発光部４０が出射した光が、第２反射部材２０を介することなく、照明器具１から出射することを抑制でき、眩しさ（グレア）を抑制することができる。以下、図１〜図４を参照して照明器具１の詳細について説明する。
【００２０】
図１に示すように、照明器具１は、ヒートシンク５０と、連結部材７１と、カバー部材６０とをさらに備える。なお、図１では、図面の簡略化のため、ヒートシンク５０のフィンを省略している。
【００２１】
ヒートシンク５０には、基板４１が取り付けられる。ヒートシンク５０は、基板４１上の発光部４０が発した熱を放散する。本明細書において、熱の放散とは、放熱のことであり、発熱または蓄熱している物体から、その物体の周囲の空気へ熱が伝わることである。ヒートシンク５０は、伝熱性の高い材料で形成されており、例えば金属で形成されていることが好ましい。金属の中でも、成形加工の容易性や照明器具１の軽量化を考慮し、例えばアルミニウムまたはアルミニウム合金で形成されていることが好ましい。ヒートシンク５０は、発光部４０の異常な温度上昇を抑制する。
【００２２】
発光部４０は、ＣＯＢ（Ｃｈｉｐ  ｏｎ  Ｂｏａｒｄ）タイプである。ＣＯＢタイプは、複数のＬＥＤを蛍光体で封止することにより発光部４０を基板４１に形成するタイプである。なお、発光部４０は、ＳＭＤ（Ｓｕｒｆａｃｅ  Ｍｏｕｎｔ  Ｄｅｖｉｃｅ）タイプであってもよい。ＳＭＤタイプは、ＬＥＤと蛍光体とを１ユニット化してＬＥＤチップを形成し、複数のＬＥＤチップを基板４１の実装面に載置して基板４１の導電パターンに電気的に接続することにより発光部４０を形成するタイプである。なお、発光部４０は、１つのＬＥＤを有していてもよい。また、発光部４０の形状は、任意の形状である。発光部４０は、例えば、平面視において略円板状である。本実施形態では、基板４１は、平面視において略矩形状である。基板４１は、光軸ＬＡに略直交する。
【００２３】
連結部材７１は、略筒状（例えば、略円筒状）であり、光源４２及び第１反射部材１０を囲む。連結部材７１は、ヒートシンク５０と第３反射部材３０とを連結する。連結部材７１には複数の当接部７１ａが形成される。当接部７１ａは光軸ＬＡに向かって張り出している。
【００２４】
図２は、照明器具１の模式的断面図である。なお、図２では、図面の簡略化のため、ヒートシンク５０の断面を示す斜線、及び連結部材７１を省略している。図３は、照明器具１を示す分解斜視図である。図４は、照明器具１を示す斜視図である。図４では、照明器具１を斜め下から見たときの照明器具１が示される。なお、図３及び図４では、図面の簡略化のため、ヒートシンク５０及び連結部材７１を省略している。
【００２５】
図２及び図３に示すように、第１反射部材１０は、中空の略錐台状である。本実施形態において、第１反射部材１０は、中空の略円錐台状である。また、第１反射部材１０は、発光部４０の発光面側に位置する。第１反射部材１０は、発光部４０と第３反射部材３０との間に位置する。
【００２６】
第１反射部材１０は、第１開口１１と第２開口１２と内面１３とを有する。第１開口１１及び第２開口１２の各々は略円形状である。第１開口１１及び第２開口１２の各々は、発光部４０の光軸ＬＡ上に位置する。第１開口１１は、第２開口１２よりも発光部４０に近い。発光部４０は、第１反射部材１０の外部に位置し、第１開口１１と対向する。発光部４０が出射した光は、第１開口１１に入射する。また、第１反射部材１０は、第２開口１２に沿った鍔部１０ａを有する。
【００２７】
内面１３は、光を反射する。つまり、内面１３は反射面として機能する。例えば、内面１３は、内面１３に入射した光が第２反射部材２０に向かって反射するように形成される。内面１３の直径は、第１開口１１から第２開口１２に向かって漸次大きくなる。内面１３は、例えば、放物面、楕円面、又は非球面により形成される。本実施形態において、第２開口１２の幅Ｗ１０は、第１開口１１の幅Ｗ１０ａよりも大きい。第２開口１２の幅Ｗ１０は、第１反射部材１０の幅Ｗ１０に相当する。第１開口１１の幅Ｗ１０ａは、発光部４０の幅Ｗ４０よりも大きい。第１反射部材１０の内面１３は、発光部４０が出射した光の一部（以下、「光ＬＴ１」と記載する場合がある。）を反射する。
【００２８】
カバー部材６０は、略板状である。本実施形態において、カバー部材６０は、略円板状である。カバー部材６０は、光軸ＬＡ上において、第１反射部材１０と第３反射部材３０との間に配置される。本実施形態では、カバー部材６０は、第２開口１２を塞ぐように配置される。従って、カバー部材６０は、発光部４０が露出することを抑制して、発光部４０に粉塵が付着することを抑制できる。カバー部材６０は、例えば、典型的には透明又は半透明であり、光を透過させる。
【００２９】
カバー部材６０は、カバー部材６０を通過する光を拡散してもよい。本明細書において、光の拡散は、光を散乱すること又は光を広げることを含む概念である。光の散乱は、光を乱反射等して光を散らすことを示す。具体的には、カバー部材６０は、カバー部材６０を通過する光を散乱させる。例えば、カバー部材６０は、光拡散材料（具体的には光散乱材料）を混ぜた樹脂を略円板状に成形することによって形成される。例えば、カバー部材６０は、透明又は半透明の略円板状の部材の光出射面又は光入射面に微小な凹凸を設けることによって形成される。例えば、カバー部材６０は、乳白色のような色彩を有していてもよい。また、カバー部材６０は、略円板状に限定されず、任意の形状であってもよい。カバー部材６０は、発光部４０が出射した光を散乱する。
【００３０】
なお、図１に示すように、連結部材７１の当接部７１ａは、第１反射部材１０の鍔部１０ａに当接している。その結果、鍔部１０ａとカバー部材６０とは、各当接部７１ａと第３反射部材３０とで挟持される。なお、図１では、理解を容易にするため、当接部７１ａを鍔部１０ａから離して図示している。
【００３１】
図２及び図３に示すように、第２反射部材２０は、発光部４０の発光面側に位置する。第２反射部材２０の中心軸ＣＡは光軸ＬＡに略一致する。
【００３２】
第２反射部材２０は、発光部４０と対向する反射面２１を有する。反射面２１は、反射面２１の中央頂部から反射面２１の基端縁部に向かって放射状に広がる傾斜面を含む。反射面２１は、発光部４０に向かって凸状である。反射面２１の中央頂部は、平坦面であってもよいし、曲面であってもよいし、尖っていてもよい。また、反射面２１は、第１反射部材１０の内面１３よりも傾斜の緩やかな断面略山形状である。本実施形態では、断面視において、反射面２１を表す傾斜線は、第３反射部材３０の第４開口３２の側に凸状に湾曲している。ただし、断面視において、反射面２１を表す傾斜線は、発光部４０の側に凸状に湾曲していてもよいし、直線状であってもよい。
【００３３】
具体的には、第２反射部材２０は、第１ベース部２３及び第２ベース部２４を含む。第１ベース部２３は、第２ベース部２４よりも発光部４０に近い。すなわち、第１ベース部２３は、発光部４０と第２ベース部２４との間に位置する。第１ベース部２３は中空になっていてもよい。第１ベース部２３の外表面のうち、発光部４０の側に位置する外表面が、反射面２１として機能する。
【００３４】
反射面２１は、反射面２１に入射した光を反射する。具体的には、反射面２１は、発光部４０が出射した光のうち、第１反射部材１０を介することなく反射面２１に入射した光（以下、「光ＬＴ２」と記載する場合がある。）を反射する。また、反射面２１は、第１反射部材１０が反射した光ＬＴ１を反射する。反射面２１は、反射面２１に入射した光ＬＴ１及び光ＬＴ２が第３反射部材３０（具体的には第３反射部材３０の内面３３）に向かって反射するように形成されている。従って、反射面２１に入射した光ＬＴ１及び光ＬＴ２は、第３反射部材３０に向かって反射する。
【００３５】
第２ベース部２４は、第１ベース部２３に取り付けられている。本実施形態において、第２ベース部２４は、略球欠状であり、第３反射部材３０の第４開口３２の側に凸状に湾曲している。ただし、第２ベース部２４は、平板状であってもよいし、第１ベース部２３の側に凸状に湾曲していてもよい。また、本実施形態において、第１ベース部２３及び第２ベース部２４は、光を透過しない。図４に示すように、第２ベース部２４は、第３反射部材３０の第４開口３２から露出しており、化粧板として機能する。従って、第２ベース部２４を第１ベース部２３に取り付けることによって、第１ベース部２３が露出することを抑制でき、ひいては、照明器具１の美感を向上できる。
【００３６】
図２及び図３に示すように、第２ベース部２４は、複数の連結部２４ａを有する。連結部２４ａは、略柱状であり、光軸ＬＡに沿って、第３反射部材３０の第３開口３１の側に延びている。一方、第１ベース部２３は、複数の連結部２４ａに対応して、複数の貫通孔２３ａを有する。そして、図２に示すように、連結部２４ａは、貫通孔２３ａに挿入されて、第３反射部材３０の第３開口３１側の端部に取り付けられる。その結果、第２反射部材２０と第３反射部材３０とが連結される。
【００３７】
第３反射部材３０は、略円錐台状である。第３反射部材３０は、第３開口３１と第４開口３２と内面３３とを有する。第３開口３１と第４開口３２とは、光軸ＬＡ上に位置する。第３開口３１及び第４開口３２の各々は略円形状である。第３開口３１は、第４開口３２よりも発光部４０に近い。つまり、第３開口３１は、発光部４０と第４開口３２との間に位置する。
【００３８】
第３反射部材３０の内面３３は、内面３３に入射した光を反射する。つまり、内面３３は反射面として機能する。例えば、第３反射部材３０の内面３３は、内面３３に入射した光の広がりを制御することによって配光を制御する。なお、光の広がりを制御することによる配光の制御の精度は、光を散乱させることによる配光の制御の精度よりも高い。内面３３の直径は、第３開口３１から第４開口３２に向かって漸次大きくなる。内面３３は、例えば、放物面、楕円面、又は非球面により形成される。本実施形態において、第４開口３２の幅Ｗ３０（図２）は、第３開口３１の幅Ｗ３０ａ（図３）よりも大きい。第４開口３２の幅Ｗ３０は、第３反射部材３０の幅Ｗ３０に相当する。第３反射部材３０の幅Ｗ３０は、第２反射部材２０の幅Ｗ２０よりも大きい。また、第２反射部材２０の幅Ｗ２０は、第３開口３１の幅Ｗ３０ａよりも大きい。第２反射部材２０は、第３反射部材３０に内包され、第４開口３２よりも発光部４０に近い。
【００３９】
第１反射部材１０の内面１３、第２反射部材２０の反射面２１及び第３反射部材３０の内面３３には、光を効率良く反射するために、白色塗装、銀色塗装、又は光沢のある金属メッキなどの反射加工が施されていることが好ましい。
【００４０】
また、第１反射部材１０の内面１３及び第３反射部材３０の内面３３は、ディンプル形状を有するように加工されていてもよい。さらに、内面１３及び内面３３は、粗面化加工（例えば、シボ加工）により微細な凹凸を表面に形成したものであってもよい。内面１３及び内面３３の形状は適宜変更される。内面１３及び内面３３は、光を拡散させてもよい。
【００４１】
発光部４０の発光面から第３反射部材３０の第４開口３２までの長さＨは、発光部４０の幅Ｗ４０よりも大きい。長さＨは、光軸ＬＡに沿った長さを示す。例えば、長さＨは、好ましくは、発光部４０の幅Ｗ４０を５倍した長さよりも小さい。
【００４２】
以上、図１〜図４を参照して説明したように、本実施形態によれば、第２反射部材２０には、発光部４０が出射し、第１反射部材１０が反射した光（光ＬＴ１）が入射する。また、第２反射部材２０には、発光部４０が出射した光の一部（光ＬＴ２）が直接入射する。その結果、発光部４０が出射した光が、第２反射部材２０を介することなく、直接に照明器具１から出射されることを抑制でき、眩しさを低減できる。
【００４３】
また、本実施形態によれば、第３反射部材３０の内面３３は、内面３３に入射した光の配光を制御する。従って、例えば、照明器具１の斜め下方に強い光が出射されることを低減できる。その結果、照明器具１の斜め下方に位置する人が照明器具１から出射される光による眩しさを感じることを低減できる。
【００４４】
さらに、本実施形態によれば、第２反射部材２０の幅Ｗ２０を、発光部４０の幅Ｗ４０を２倍した幅よりも大きくするとともに、長さＨを、発光部４０の幅Ｗ４０を５倍した幅よりも小さくする。従って、発光部４０が出射した直接光が照明器具１から出射することを抑制できる。その結果、照明器具１の小型化を実現しつつ、眩しさを低減できる。
【００４５】
さらに、本実施形態によれば、第２反射部材２０は、第３反射部材３０の第４開口３２よりも発光部４０に近い。つまり、第４開口３２は、第２反射部材２０よりも発光部４０から遠い。従って、発光部４０が出射した光は、第２反射部材２０に反射されて、第３反射部材３０に入射し易くなる。その結果、発光部４０が出射した光が、第３反射部材３０を介することなく、直接に照明器具１から出射されることを抑制でき、眩しさを低減できる。
【００４６】
さらに、本実施形態によれば、第１反射部材１０は、発光部４０と第２反射部材２０との間に位置する。つまり、発光部４０は第１反射部材１０の外部に位置する。従って、第１反射部材１０の内面１３の全体に、発光部４０からの直接光を入射できる。その結果、内面１３の全体によって発光部４０からの直接光を反射でき、内面１３の全体を有効に利用できる。なお、発光部４０が第１反射部材１０の内部に位置する場合は、発光部４０の発光面よりもヒートシンク５０側の内面１３には、発光部４０からの直接光が入射し難い可能性がある。
【００４７】
次に、図２を参照して、光の経路について説明する。図２に示すように、発光部４０が出射した光は、第１反射部材１０の第１開口１１に入射する。第１開口１１に入射した光の一部は、光ＬＴ１として第１反射部材１０の内面１３に入射する。そして、光ＬＴ１は、内面１３に反射されて、第２開口１２から出射する。また、第１開口１１に入射した光の他の一部は、光ＬＴ２として第２開口１２から直接出射する。従って、第１反射部材１０は、発光部４０が出射した光のうち、第２開口１２から直接出射しない光を、内面１３を介して第２開口１２から出射させる。その結果、第１反射部材１０は、発光部４０が出射した光を集光し、発光部４０が出射する光の損失を抑制できる。
【００４８】
第２開口１２を出射した光ＬＴ１及び光ＬＴ２は、カバー部材６０を通過する。カバー部材６０を通過した光ＬＴ１及び光ＬＴ２は、第３開口３１に入射する。第３開口３１に入射した光ＬＴ１及び光ＬＴ２は、空気を媒質として伝播し、第２反射部材２０の反射面２１に入射する。反射面２１は、反射面２１に入射してきた光ＬＴ１及び光ＬＴ２を反射することによって、光ＬＴ１及び光ＬＴ２の進行方向を光軸ＬＡの延びる方向と異なる方向に変化させる。具体的には、反射面２１に入射した光ＬＴ１及び光ＬＴ２が第３反射部材３０の内面３３に向かうように、反射面２１は、光ＬＴ１及び光ＬＴ２を反射する。そして、反射面２１によって反射された光ＬＴ１及び光ＬＴ２は、第３反射部材３０の内面３３によって更に反射されて、第４開口３２から出射する。
【００４９】
以上、図２を参照して説明したように、本実施形態によれば、発光部４０が出射した光は、第２反射部材２０によって反射される。そして、第２反射部材２０によって反射された光は、第３反射部材３０によって更に反射される。従って、第３反射部材３０が配光を制御しつつ、発光部４０が出射した光が、照明器具１から直接出射することを抑制できる。その結果、所望の配光を確保して眩しさを低減できる。
【００５０】
また、本実施形態によれば、第２反射部材２０の反射面２１は、反射面２１の中央頂部から反射面２１の基端縁部に向かって放射状に広がる傾斜面を含む。従って、反射面２１に入射した光ＬＴ１及び光ＬＴ２が第１反射部材１０の内面１３に向かうことを抑制しつつ、反射面２１に入射した光ＬＴ１及び光ＬＴ２が第３反射部材３０の内面３３に向かうように反射させる。その結果、反射面２１に入射した光ＬＴ１及び光ＬＴ２が第１反射部材１０の内面１３によって繰り返し反射されることに起因して照明器具１からの光ＬＴ１及び光ＬＴ２の出射効率が低減することを抑制できる。出射効率は、発光部４０からの光量に対する照明器具１からの光量を示す。
【００５１】
（第１変形例）
次に、図１及び図５（ａ）を参照して、本実施形態の第１変形例について説明する。第１変形例に係る照明器具１は、第１反射部材１０に代えて、第１反射部材１００を備える点で、図１に示す照明器具１と異なる。以下、第１変形例に係る照明器具１について、図１に示す照明器具１と異なる点を主に説明する。
【００５２】
図５（ａ）は、第１変形例に係る第１反射部材１００を示す模式的断面図である。図５（ａ）では、図面の簡略化のため、断面を示す斜線を省略している。第１反射部材１００は、光を透過する材質を有する。第１反射部材１００は、入射面１０１と出射面１０２とを含む。入射面１０１と出射面１０２とは光軸ＬＡ上に位置する。入射面１０１は、光軸ＬＡ上において、出射面１０２よりも発光部４０に近い。
【００５３】
第１反射部材１００は、第１反射部材１００に入射した光が第２反射部材２０に入射するように、第１反射部材１００に入射した光を屈折させる。具体的には、第１反射部材１００は、第１反射部材１００に進入した光ＬＴ３が第２反射部材２０に入射するように、第１反射部材１００に進入した光ＬＴ３を全反射させる。第１反射部材１００は、例えばコリメータレンズである。コリメータレンズは、入射した光を屈折及び／又は反射させて、入射した光の配光角を所望の配光角にするレンズのことである。コリメータレンズは、例えば、入射した光を略平行光にすることが好ましい。従って、第１反射部材１００は、発光部４０が出射した光を集光する。その結果、発光部４０が出射する光の損失を抑制できる。
【００５４】
（第２変形例）
次に、図１及び図５（ｂ）を参照して、本実施形態の第２変形例について説明する。第２変形例に係る照明器具１は、第２反射部材２０に代えて、第２反射部材２００を備える点で、図１に示す照明器具１と異なる。以下、第２変形例に係る照明器具１について、図１に示す照明器具１と異なる点を主に説明する。
【００５５】
図５（ｂ）は、第２変形例に係る第２反射部材２００を示す模式的断面図である。図５（ｂ）では、図面の簡略化のため、断面を示す斜線を省略している。図５（ｂ）に示すように、第２反射部材２００は、反射面２０２を有する。また、第２反射部材２００は、反射面２０２が形成される透過部２０１を含む。透過部２０１は、第３開口３１の側と第４開口３２の側とのうち、第４開口３２の側に位置する。透過部２０１は、光を透過する材質を有する。透過部２０１の色彩は、透明色である。ただし、透過部２０１の色彩は、有色透明よりも、無色透明のほうが好ましい。透過する光量を多くできるからである。
【００５６】
反射面２０２は、反射面２０２に入射した光を反射する。反射面２０２は、光を効率良く反射するために、白色塗装、銀色塗装、又は光沢のある金属メッキなどの反射加工が施されていてもよい。また、反射面２０２は、透明色であってもよい。さらに、反射面２０２は、透過部２０１に金属を塗装又は蒸着して形成されていてもよい。反射面２０２は、例えば、鏡面反射する。また、反射面２０２は、例えば、反射面２０２に入射した光のうち、一部の光を反射し、一部の光を透過する。反射面２０２が透明色である場合、反射面２０２の下方には、例えば、微小な穴が形成されたカバーが配置される。従って、反射面２０２の下方の光量を減らし、眩しさを低減することができる。また、反射面２０２が透明色である場合、反射面２０２の下方には、例えば、一部の光を透過するセードが配置される。従って、セードが反射面２０２を透過した光を散乱させ、眩しさを低減することができる。
【００５７】
すなわち、反射面２０２に入射した光ＬＴ４は、第３反射部材３０の内面３３に向かって反射される。従って、発光部４０が出射した光は、第２反射部材２０によって反射され、さらに第３反射部材３０によって反射されて、照明器具１から出射する。その結果、発光部４０が出射した光が照明器具１から直接出射することを抑制でき、眩しさを低減できる。
【００５８】
（第３変形例）
次に、図２を参照して、本実施形態の第３変形例について説明する。第３変形例に係る照明器具１は、第２反射部材２０が、第２反射部材２０に入射した光の一部を透過する点で、図１に示す照明器具１と異なる。以下、第３変形例に係る照明器具１について、図１に示す照明器具１と異なる点を主に説明する。
【００５９】
第３変形例に係る第２反射部材２０は、第２反射部材２０に入射した光のうち、一部の光を反射し、一部の光を透過する。具体的には、第２反射部材２０の第１ベース部２３は、第１ベース部２３に入射した光のうち、一部の光を第３反射部材３０の内面３３に向かって反射し、一部の光を透過して第２ベース部２４に向かって出射する。
【００６０】
従って、第２反射部材２０（具体的には第１ベース部２３）を透過した光のうち、一部の光が第２反射部材２０の下方に出射し、一部の光が第３反射部材３０に向かって出射する。そして、第３反射部材３０に向かって出射された光は、第２反射部材２０の下方の周辺を照射する。従って、第２反射部材２０の下方と、第２反射部材の下方の周辺とを照射することができる。その結果、第３反射部材３０の第４開口３２の全体にわたって満遍なく光を出射できる。
【００６１】
また、第２反射部材２０（具体的には第１ベース部２３）を透過した光のうち、一部の光が第２反射部材２０の下方に出射し、一部の光が第３反射部材３０に向かって出射する。第３反射部材３０から出射される光は、配光を制御されている。その結果、第２反射部材２０の下方の光量を確保しつつ、第２反射部材２０と第３反射部材３０との間から出射する光の眩しさを低減できる。
【００６２】
さらに、第２反射部材２０は、透過する光を拡散して出射してもよい。具体的には、第２ベース部２４は、第２ベース部２４に入射する光を拡散して出射してもよい。より具体的には、第２ベース部２４は、第２ベース部２４に入射する光を散乱して出射してもよい。第２ベース部２４に入射する光は、第１ベース部２３が透過して出射した光である。例えば、第２ベース部２４は、光拡散材料（具体的には光散乱材料）を混ぜた樹脂を板状に成形することによって形成される。また、例えば、第２ベース部２４は、透明又は半透明の板状の部材の光出射面又は光入射面に微小な凹凸を設けることによって形成される。さらに、例えば、第２ベース部２４は、乳白色のような色彩を有していてもよい。
【００６３】
また、例えば、第２反射部材２０には微小な穴が形成されており、第２反射部材２０は、反射面２１に入射した光の一部、及び第２ベース部２４に入射した光の一部を透過させてもよい。さらに、例えば、第２反射部材２０は、第１ベース部２３及び第２ベース部２４に代えて、反射面２１と、高い散乱性を有するカバーとを含んでもよい。この場合、反射面２１には、微小な穴が形成され反射面２１に入射した光の一部を透過させる反射部材で形成される。従って、第２反射部材２０の下方の光量を確保しつつ、第２反射部材２０の下方に出射される光の眩しさを低減できる。
【００６４】
以上、図面を参照しながら本発明の実施形態（変形例を含む。）について説明した。但し、本発明は、上記の実施形態に限られるものではなく、その要旨を逸脱しない範囲で種々の態様において実施することが可能である（例えば、下記に示す（１）〜（６））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００６５】
（１）図１を参照して説明した本実施形態では、照明器具１は、天井Ｃに取り付けられるダウンライトであった。ただし、照明器具１の種類は特に限定されない。例えば、照明器具１はスポットライトであってもよい。
【００６６】
（２）図３を参照して説明したように、本実施形態では、第１反射部材１０、第２反射部材２０、及び第３反射部材３０の各々の形状は、平面視において略円状であったが、第１反射部材１０、第２反射部材２０、及び第３反射部材３０の各々の形状は略円状に限定されず、任意の形状でよい。例えば、第１反射部材１０、第２反射部材２０、及び第３反射部材３０の各々は、平面視略多角形状であってもよい。
【００６７】
（３）図３を参照して説明したように、本実施形態では、第１反射部材１０が有する第１開口１１及び第２開口１２の形状は、平面視において略円状であったが、第１開口１１及び第２開口１２の各々は略円状に限定されず、任意の形状でよい。例えば、第１開口１１及び第２開口１２の各々は、平面視略多角形状であってもよい。同様に、第３反射部材３０が有する第３開口３１及び第４開口３２の形状は、平面視略多角形状であってもよい。
【００６８】
（４）図２を参照して説明したように、本実施形態において、基板４１は、略矩形状であるが、基板４１は、略円形状であってもよいし、略多角形状であってもよい。
【００６９】
（５）図１を参照して説明したように、本実施形態では、発光部４０は、第１反射部材１０の外部に位置していたが、発光部４０は、第１反射部材１０の内部に位置していてもよい。
【００７０】
（６）本願は、さらに以下の付記を開示する。なお、以下の付記は、本発明を限定するものではない。
（付記１）
前記第１反射部材は、前記発光部の光軸上に位置する第１開口及び第２開口を有し、
前記第１開口は、前記第２開口よりも前記発光部に近く、
前記第１開口の幅は、前記発光部の幅よりも大きい、照明器具。
（付記２）
前記第２反射部材は、前記第２反射部材に入射した光のうち、一部の光を反射し、一部の光を透過する、照明器具。
（付記３）
前記第２反射部材は、前記透過する光を拡散して出射する、照明器具。
【産業上の利用可能性】
【００７１】
本発明は、照明器具の分野に利用可能であり、産業上の利用可能性を有する。
【符号の説明】
【００７２】
１        照明器具
１０      第１反射部材
２０      第２反射部材
２１      反射面
３０      第３反射部材
３１      第３開口
３２      第４開口
３３      内面
４０      発光部
【図１】
2018129243.tif 000003
【図２】
2018129243.tif 000004
【図３】
2018129243.tif 000005
【図４】
2018129243.tif 000006
【図５】
2018129243.tif 000007